(57)【特許請求の範囲】
【請求項１】
（ｉ）内燃機関の内部を通過して冷却水を循環させる第１通路と、（ｉｉ）前記内燃機関の内部を通過することなく前記冷却水を循環させる第２通路と、（ｉｉｉ）前記内燃機関の下流側に配置され、且つ、指令に応じて、第１流量の前記冷却水を前記第１通路から前記第２通路へと流出させる開弁状態と前記第１流量よりも少ない第２流量の前記冷却水を前記第１通路から前記第２通路へと流出させる閉弁状態との間で状態を切り替える切替弁とを備える冷却装置を制御するための冷却水制御装置であって、
前記第１通路のうち前記内燃機関と前記切替弁との間に位置する通路部分内の前記冷却水の第１水温を検出する検出手段と、
前記切替弁の状態を前記開弁状態から前記閉弁状態に切り替える前記指令が出力されてから、前記第１水温が、前記切替弁の状態を前記開弁状態から前記閉弁状態に切り替える前記指令が出力された時点での前記第１水温よりも大きい判定用水温に到達するまでに要する所要時間が判定用時間よりも大きい場合に、前記閉弁状態にある前記切替弁に故障が生じていると判定する判定手段と
を備え、
前記切替弁は、（ｉ）前記切替弁の状態が前記開弁状態である場合に、前記第１流量の前記冷却水が前記第１通路から前記第２通路へと流出するように、前記第１通路と前記第２通路との間の通路を開放する一方で、前記切替弁の状態が前記閉弁状態である場合に、前記第１通路と前記第２通路との間の通路を閉塞するバルブ部と、（ｉｉ）前記切替弁の状態が前記閉弁状態である場合に、前記第２流量の前記冷却水を前記第１通路から前記第２通路へと流出させる微小流出部とを備えており、
前記判定手段は、前記所要時間が前記判定用時間よりも大きい場合に、前記微小流出部に故障が生じていると判定することを特徴とする冷却水制御装置。
【請求項２】
前記判定手段は、前記内燃機関が始動を開始してから所定時間を経過する前は、前記所要時間が前記判定用時間よりも大きいか否かに基づいて、前記閉弁状態にある前記切替弁に故障が生じているか否かを判定し、
前記判定手段は、前記内燃機関が始動を開始してから前記所定時間を経過した後は、前記第１水温と前記第２通路内の前記冷却水の第２水温との間の差分に基づいて、前記閉弁状態にある前記切替弁に故障が生じているか否かを判定する
ことを特徴とする請求項１に記載の冷却水制御装置。
【請求項３】
前記判定手段は、前記差分が所定閾値よりも大きい場合に、前記閉弁状態にある前記切替弁に故障が生じていると判定する
ことを特徴とする請求項２に記載の冷却水制御装置。
【発明の詳細な説明】
【技術分野】
【０００１】
本発明は、冷却水を循環させることで内燃機関を冷却する又は暖機する冷却装置を制御するための冷却水制御装置の技術分野に関する。
【背景技術】
【０００２】
従来から、内燃機関（エンジン）を冷却又は暖機するために、冷却水を循環させる冷却装置が提案されている。例えば、特許文献１には、内燃機関の内部を通過して冷却水を循環させる第１冷却水回路と、内燃機関の内部を通過することなく冷却水を循環させる第２冷却水回路とが、バルブを介して接続されている冷却装置が開示されている。特許文献１では、第１冷却水回路は、主として内燃機関の冷却又は暖機のために用いられる一方で、第２冷却水回路は、主として内燃機関の排熱の回収のために用いられる。【０００３】
ここで、特許文献１では、第１冷却水回路における冷却水の水温と第２冷却水回路における冷却水の水温との間の差分に基づいて、第１冷却水回路と第２冷却水回路とを接続するバルブの弁閉故障の有無が判定されている。というのも、本来開弁状態にあるべきであるバルブが閉弁状態にある場合には、内燃機関を通過する第１冷却水回路における冷却水の水温が、内燃機関を通過しない第２冷却水回路の冷却水の水温よりも早期に増加する（つまり、両者の差分が大きくなる）傾向が相対的に強くなるからである。【０００４】
尚、その他、本願発明に関連する先行技術として、特許文献２があげられる。
【先行技術文献】
【特許文献】
【０００５】
【特許文献１】特許第４８８３２２５号
【特許文献２】特開２０１１−１０２５４５号公報
【発明の概要】
【発明が解決しようとする課題】
【０００６】
本発明は、内燃機関の内部を通過して冷却水を循環させる第１通路と、内燃機関の内部を通過することなく冷却水を循環させる第２通路とが、切替弁を介して接続されている冷却装置において、特許文献１に開示された技術とは異なる又はより好適な態様で切替弁に故障が生じているか否かを判定することが可能な冷却水制御装置を提案することを課題とする。
【課題を解決するための手段】
【０００７】
＜１＞
開示の冷却水制御装置は、（ｉ）内燃機関の内部を通過して冷却水を循環させる第１通路と、（ｉｉ）前記内燃機関の内部を通過することなく前記冷却水を循環させる第２通路と、（ｉｉｉ）前記内燃機関の下流側に配置され、且つ、指令に応じて、第１流量の前記冷却水を前記第１通路から前記第２通路へと流出させる開弁状態と前記第１流量よりも少ない第２流量の前記冷却水を前記第１通路から前記第２通路へと流出させる閉弁状態との間で状態を切り替える切替弁とを備える冷却装置を制御するための冷却水制御装置であって、前記第１通路のうち前記内燃機関と前記切替弁との間に位置する通路部分内の前記冷却水の第１水温を検出する検出手段と、前記切替弁の状態を前記開弁状態から前記閉弁状態に切り替える前記指令が出力されてから前記第１水温が前記第１水温よりも大きい判定用水温に到達するまでに要する所要時間が判定用時間よりも大きい場合に、前記閉弁状態にある前記切替弁に故障が生じていると判定する判定手段とを備える。【０００８】
開示の冷却水制御装置によれば、冷却水を循環させることで内燃機関を冷却する冷却装置を制御することができる。【０００９】
冷却装置は、第１通路と、第２通路と、切替弁とを備えている。【００１０】
第１通路は、内燃機関の内部（例えば、内燃機関のウォータジャケット）を通過して冷却水を循環させるための冷却水通路である。一方で、第２通路は、内燃機関の内部を通過することなく（言い換えれば、内燃機関を迂回して）冷却水を循環させるための冷却水通路である。【００１１】
第１通路と第２通路とは、切替弁を介して接続（言い換えれば、連結）されている。特に、切替弁は、内燃機関の下流側（つまり、冷却水の流れに沿って、内燃機関よりも下流側）の位置において、第１通路と第２通路とを接続する。尚、第１通路が内燃機関の内部を通過して冷却水を循環させる一方で第２通路が内燃機関を通過することなく冷却水を循環させることを考慮すれば、切替弁は、第１通路のうちの内燃機関よりも下流側に位置する通路部分と第２通路とを接続してもよい。【００１２】
切替弁は、当該切替弁の状態を切り替えるための指令に応じて、当該切替弁の状態を、閉弁状態から開弁状態へと又は開弁状態から閉弁状態へと切り替える。開弁状態にある切替弁は、第１通路から第２通路へと第１流量の冷却水を流出させる。一方で、閉弁状態にある切替弁は、第１通路から第２通路へと第２流量（但し、第２流量は、第１流量よりも少ない）の冷却水を流出させる。このとき、閉弁状態にある切替弁は、第１通路から第２通路への冷却水の流出を停止させないことが好ましい。言い換えれば、閉弁状態にある切替弁は、第１通路から第２通路へと流出する冷却水の流量をゼロにしないことが好ましい。【００１３】
このような冷却装置に対して、冷却水制御装置は、切替弁に故障が生じているか否かを判定する。特に、冷却水制御装置は、閉弁状態にある切替弁に故障が生じているか否かを判定する。閉弁状態にある切替弁に生ずる故障の一例として、切替弁を介して第１通路から第２通路へと流出する冷却水の流量が、意図せずしてゼロに固定されてしまう故障があげられる。言い換えれば、閉弁状態にある切替弁に生ずる故障の一例として、切替弁の状態が、第１通路から第２通路へと冷却水を流出させることが困難又は不可能な状態のまま固定されてしまう故障があげられる。【００１４】
閉弁状態にある切替弁に故障が生じているか否かを判定するために、冷却水制御装置は、検出手段と、判定手段とを備えている。【００１５】
検出手段は、第１通路内の冷却水の水温である第１水温を検出する。特に、検出手段は、第１通路のうち内燃機関と切替弁との間に位置する通路部分内の冷却水の水温である第１水温を検出する。言い換えれば、検出手段は、第１通路のうち内燃機関よりも下流側に位置し且つ切替弁よりも上流側に位置する通路部分内の冷却水の水温である第１水温を検出する。【００１６】
判定手段は、検出手段が検出した第１水温に基づいて、閉弁状態にある切替弁に故障が生じているか否かを判定する。特に、判定手段は、切替弁の状態が開弁状態から閉弁状態に切り替わってからの第１水温の増加傾向（言い換えれば、変動傾向）に基づいて、閉弁状態にある切替弁に故障が生じているか否かを判定する。【００１７】
ここで、第１水温の増加傾向に基づいて閉弁状態にある切替弁に故障が生じているか否かを判定する動作を説明するにあたって、まずは、閉弁状態である切替弁に故障が生じていない場合の第１水温の増加傾向及び閉弁状態である切替弁に故障が生じている場合の第１水温の増加傾向の違いについて説明する。【００１８】
閉弁状態である切替弁に故障が生じていない場合には、切替弁を介して第１通路から第２通路に対して第２流量の冷却水が流出する。つまり、第１通路内では、冷却水が滞留してしまう（言い換えれば、循環しなくなってしまう）ことがない。従って、内燃機関の内部における冷却水の水温は、冷却水が存在する位置によってばらつきにくくなる。更には、第１通路を循環する冷却水は、内燃機関から熱を受けた後にそのまま内燃機関から流出していく。従って、第１水温は、内燃機関の熱を受けた冷却水の相対的に円滑な循環に起因して、増加しやすい又は迅速に増加する傾向にある。つまり、第１水温は、内燃機関の内部における冷却水の水温の増加態様に合わせて迅速に増加する傾向にある。言い換えれば、内燃機関の内部における冷却水の水温の増加態様に対する第１水温の増加態様の応答遅れは、相対的に小さくなる傾向にある。【００１９】
一方で、閉弁状態である切替弁に故障が生じている場合には、切替弁を介して第１通路から第２通路に対して冷却水が流出しなくなってしまう。このため、第１通路内では、冷却水が滞留してしまう（言い換えれば、循環しなくなってしまう）。従って、閉弁状態である切替弁に故障が生じていない場合と比較して、内燃機関の内部における冷却水の水温は、冷却水が存在する位置によってばらつきやすくなる。更には、第１通路内で冷却水が滞留しているがゆえに、内燃機関の熱によって水温が相対的に高くなった冷却水が内燃機関から流出しなくなる又は流出しにくくなる。従って、第１水温は、内燃機関の内部に滞留している冷却水から当該冷却水を介して受ける熱伝導によって増加することになる。そうすると、第１水温は、冷却水を介して受ける熱伝導の効率の悪さに起因して、増加しにくい又は迅速に増加しない傾向にある。つまり、第１水温は、内燃機関の内部における冷却水の水温の増加態様に対して遅れをもって増加する傾向にある。言い換えれば、第１水温の増加態様の応答遅れが相対的に大きくなる傾向にある。【００２０】
このように、閉弁状態である切替弁に故障が生じていない場合の第１水温の増加傾向及び閉弁状態である切替弁に故障が生じている場合の第１水温の増加傾向が異なる。このため、判定手段は、このような第１水温の増加傾向の違いを考慮することで、切替弁の状態が開弁状態から閉弁状態に切り替わってからの第１水温の増加傾向に基づいて、閉弁状態にある切替弁に故障が生じているか否かを判定することができる。【００２１】
具体的には、判定手段は、切替弁の状態を開弁状態から閉弁状態に切り替える指令が出力されてから第１水温が第１水温よりも大きい判定用水温に到達するまでに要する所要時間と判定用時間との間の大小関係を比較する。ここで、上述したように、閉弁状態である切替弁に故障が生じている場合に第１水温が判定用水温に到達するまでに要する所要時間は、閉弁状態である切替弁に故障が生じていない場合に第１水温が判定用水温に到達するまでに要する所要時間よりも長くなる。従って、判定手段は、第１水温が判定用水温に到達するまでに要する所要時間が判定用時間よりも大きい場合に、閉弁状態にある切替弁に故障が生じていると判定することができる。従って、判定手段は、閉弁状態にある切替弁に故障が生じているか否かを好適に判定することができる。【００２２】
尚、判定手段は、所要時間と判定用時間とを直接的に比較することで、閉弁状態にある切替弁に故障が生じているか否かを判定してもよい。或いは、判定手段は、所要時間と判定用時間との間の大小関係を間接的に示す何らかの他の指標を用いて所要時間と判定用時間とを間接的に又は仮想的に比較することで、閉弁状態にある切替弁に故障が生じているか否かを判定してもよい。【００２３】
また、切替弁の状態を開弁状態から閉弁状態に切り替える指令が出力された時点での第１水温と判定用水温との間の差分が大きくなればなるほど、第１水温が判定用水温に到達するまでに要する所要時間が長くなるがゆえに、判定手段の判定に要する時間が長くなる。言い換えれば、切替弁の状態を開弁状態から閉弁状態に切り替える指令が出力された時点での第１水温と判定用水温との間の差分が小さくなればなるほど、第１水温が判定用水温に到達するまでに要する所要時間が短くなるがゆえに、判定手段の判定に要する時間が短くなる。一方で、切替弁の状態を開弁状態から閉弁状態に切り替える指令が出力された時点での第１水温と判定用水温との間の差分は、第１水温の増加傾向の違いを好適に区別する（つまり、判定手段の判定の精度を向上させる）という観点から言えば、相応に大きな値であってもよい。従って、「判定用水温」は、判定手段の判定に要する時間と判定手段の判定の精度との間のトレードオフ及び切替弁の状態を開弁状態から閉弁状態に切り替える指令が出力された時点での第１水温を考慮した上で、適切な水温に設定されてもよい。【００２４】
また、「判定用時間」は、冷却装置の仕様等を考慮した上で、実験やシミュレーション等によって、閉弁状態にある切替弁が故障しているか否かを適切に区別可能な適切な時間に設定されてもよい。つまり、「判定用時間」は、閉弁状態である切替弁に故障が生じていない場合の第１水温の増加傾向と閉弁状態である切替弁に故障が生じている場合の第１水温の増加傾向との違いを考慮した上で、閉弁状態である切替弁に故障が生じていない場合の所要時間と閉弁状態である切替弁に故障が生じている場合の所要時間とを好適に区別可能な適切な時間に設定されてもよい。【００２５】
＜２＞
開示の冷却水制御装置の他の態様では、前記判定手段は、前記内燃機関が始動を開始してから所定時間を経過する前は、前記所要時間が前記判定用時間よりも大きいか否かに基づいて、前記閉弁状態にある前記切替弁に故障が生じているか否かを判定し、前記判定手段は、前記内燃機関が始動を開始してから前記所定時間を経過した後は、前記第１水温と前記第２通路内の前記冷却水の第２水温との間の差分に基づいて、前記閉弁状態にある前記切替弁に故障が生じているか否かを判定する。【００２６】
この態様によれば、判定手段は、第１水温（つまり、第１通路のうち内燃機関と切替弁との間における通路部分内の冷却水の水温）と第２水温（つまり、第２通路内の冷却水の水温）との間の差分に基づいて、閉弁状態にある切替弁に故障が生じているか否かを判定することができる。【００２７】
特に、判定手段は、内燃機関が始動を開始してから所定時間を経過するか否かに応じて、閉弁状態にある切替弁に故障が生じているか否かを判定するために用いる指標として、第１水温の増加傾向（つまり、所要時間と判定用時間との大小関係）及び第１水温と第２水温との間の差分のいずれか又は双方を選択することができる。【００２８】
具体的には、閉弁状態にある切替弁に故障が生じていない場合には、第１通路から第２通路へと冷却水が流出するため、第１水温と第２水温との間の差分は相対的に小さくなる。一方で、閉弁状態にある切替弁に故障が生じている場合には、第１通路内に冷却水が滞留してしまうがゆえに、内燃機関の熱により、第２水温と比較して、第１水温が増加しやすい。従って、閉弁状態にある切替弁に故障が生じている場合には、本来、第１水温と第２水温との間の差分が相対的に大きくなるべき（例えば、所定閾値よりも大きくなるべき）である。【００２９】
しかしながら、内燃機関が始動を開始してから所定時間を経過する前は、内燃機関の暖機が進んでいる可能性が相対的に低いことに起因して、第１水温が相対的に低い状態が維持されやすくなる。その結果、閉弁状態にある切替弁に故障が生じているがゆえに本来第１水温と第２水温との間の差分が相対的に大きくなるべきであるにも関わらず、第１水温と第２水温との間の差分が相対的に大きくならない（例えば、所定閾値よりも大きくならない）おそれがある。従って、内燃機関が始動を開始してから所定時間を経過する前は、第１水温と第２水温との間の差分に基づく判定の精度が悪化してしまうおそれがある。このため、判定手段は、内燃機関が始動を開始してから所定時間を経過する前は、第１水温の増加傾向（つまり、所要時間と判定用時間との大小関係）に基づいて、閉弁状態にある切替弁に故障が生じているか否かを判定することが好ましい。【００３０】
一方で、内燃機関が始動を開始してから所定時間を経過した後には、内燃機関の暖機が進んでいる可能性が相対的に高いことに起因して、第１水温がある程度増加していると想定される。そうすると、内燃機関が始動を開始してから所定時間を経過する前の状況が生ずる可能性は相対的に小さくなる。つまり、閉弁状態にある切替弁に故障が生じている場合に第１水温と第２水温との間の差分が相対的に大きくなると共に、閉弁状態にある切替弁に故障が生じていない場合に第１水温と第２水温との間の差分が相対的に小さくなる。このため、判定手段は、内燃機関が始動を開始してから所定時間を経過した後は、第１水温と第２水温との間の差分に基づいて、閉弁状態にある切替弁に故障が生じているか否かを判定してもよい。【００３１】
＜３＞
上述したように第１水温と第２水温との間の差分に基づいて閉弁状態にある切替弁に故障が生じているか否かを判定する冷却水制御装置の他の態様では、前記判定手段は、前記差分が所定閾値よりも大きい場合に、前記閉弁状態にある前記切替弁に故障が生じていると判定する。【００３２】
この態様によれば、判定手段は、第１水温と第２水温との間の差分に基づいて、閉弁状態にある切替弁に故障が生じているか否かを好適に判定することができる。【００３３】
＜４＞
開示の冷却水制御装置の他の態様では、前記切替弁は、（ｉ）前記切替弁の状態が前記開弁状態である場合に、前記第１流量の前記冷却水が前記第１通路から前記第２通路へと流出するように、前記第１通路と前記第２通路との間の通路を開放する一方で、前記切替弁の状態が前記閉弁状態である場合に、前記第１通路と前記第２通路との間の通路を閉塞するバルブ部と、（ｉｉ）前記切替弁の状態が前記閉弁状態である場合に、前記第２流量の前記冷却水を前記第１通路から前記第２通路へと流出させる微小流出部とを備えており、前記判定手段は、前記所要時間が前記判定用時間よりも大きい場合に、前記微小流出部に故障が生じていると判定する。【００３４】
この態様によれば、切替弁は、微小流出部（例えば、後述の微小流出孔や微小流出路）を備えているがゆえに、バルブ部が第１通路と第２通路との間の通路を閉塞している場合であっても、第２流量の冷却水を、第１通路から第２通路へと流出させることができる。このような切替弁に対して、判定手段は、微小流出部に故障が生じているか否かを好適に判定することができる。【００３５】
本発明の作用及び他の利得は次に説明する、発明を実施するための形態から更に明らかにされる。
【図面の簡単な説明】
【００３６】
【図１】本実施形態の車両の構成（特に、冷却装置に関連する構成）を示すブロック図である。
【図２】本実施形態の切替弁の構成を示す断面図である。
【図３】エンジン水温が第１範囲にある場合の冷却水の循環の態様を示すブロック図である。
【図４】エンジン水温が第１範囲よりも高い第２範囲にある場合の冷却水の循環の態様を示すブロック図である。
【図５】エンジン水温が第２範囲よりも高い第３範囲にある場合の冷却水の循環の態様を示すブロック図である。
【図６】閉弁している切替弁に故障が生じている場合のエンジンの内部の冷却水の水温の分布状態及びエンジン水温の増加傾向、並びに、閉弁している切替弁に故障が生じていない場合のエンジンの内部の冷却水の水温の分布状態及びエンジン水温の増加傾向を示すグラフである。
【図７】閉弁している切替弁に故障が生じているか否かの第１判定動作の流れを示すフローチャートである。
【図８】水温増加予測カウンタ及び水温増加実カウンタと閉弁している切替弁における故障の有無との間の関係を示すグラフである。
【図９】閉弁している切替弁に故障が生じている場合のエンジン水温及びバイパス水温、並びに、閉弁している切替弁に故障が生じていない場合のエンジン水温及びバイパス水温を示すグラフである。
【図１０】切替弁に故障が生じているか否かの判定動作の精度を示す表である。
【図１１】閉弁している切替弁に故障が生じているか否かの第２判定動作の流れを示すフローチャートである。
【発明を実施するための形態】
【００３７】
以下、発明を実施するための形態としての冷却装置１０を備える車両１について、図面に基づいて説明する。
【００３８】
（１）車両の構成
はじめに、図１を参照して、本実施形態の車両１の構成（特に、冷却装置１０に関連する構成）について説明する。図１は、本実施形態の車両１の構成（特に、冷却装置１０に関連する構成）を示すブロック図である。
【００３９】
図１に示すように、本実施形態の車両１は、冷却装置１０と、エンジン２０と、ＥＣＵ３０とを備えている。
【００４０】
冷却装置１０は、切替弁１３と、電動ＷＰ（Ｗａｔｅｒ  Ｐｕｍｐ：ウォータポンプ）１６と、水温センサ１７ｂと、水温センサ１７ｗとを備えている。更に、冷却装置１０は、排熱回収器１１と、ヒータコア１２と、ラジエータ１４と、サーモスタット１５とを備えていてもよい。また、冷却装置１０は、冷却水通路１８ａ及び冷却水通路１８ｂ、冷却水通路１８１ａ、冷却水通路１８１ｂ、冷却水通路１８１ｃ及び冷却水通路１８１ｄ、冷却水通路１８２ａ、冷却水通路１８２ｂ、冷却水通路１８２ｃ及び冷却水通路１８２ｄ、並びに冷却水通路１８３ａ及び冷却水通路１８３ｂから構成される冷却水通路１８を備えている。
【００４１】
電動ＷＰ１６は、所望の流量の冷却水を吐出するポンプである。電動ＷＰ１６が吐出した冷却水は、冷却水通路１８ａに流入する。冷却水通路１８ａは、冷却水通路１８１ａと冷却水通路１８２ａとに分岐する。
【００４２】
冷却水通路１８１ａは、エンジン２０に接続されている。エンジン２０からは、冷却水通路１８１ｂが延びている。冷却水通路１８１ｂは、切替弁１３に接続される冷却水通路１８１ｃと、ラジエータ１４に接続される冷却水通路１８３ａに分岐する。切替弁１３からは、冷却水通路１８１ｄが延びている。冷却水通路１８１ｄは、排熱回収器１１から延びる冷却水通路１８２ｂと合流すると共に、ヒータコア１２に接続される冷却水通路１８２ｃに接続されている。ヒータコア１２からは、サーモスタット１５に接続される冷却水通路１８２ｄが延びている。サーモスタット１５からは、電動ＷＰ１６に接続される冷却水通路１８ｂが延びている。つまり、電動ＷＰ１６から吐出された冷却水は、冷却水通路１８ａ、冷却水通路１８１ａ、冷却水通路１８１ｂ、冷却水通路１８１ｃ、冷却水通路１８１ｄ、冷却水通路１８２ｃ、冷却水通路１８２ｄ及び冷却水通路１８ｂをこの順に通過することで、電動ＷＰ１６へと戻る。つまり、冷却水通路１８ａ、冷却水通路１８１ａ、冷却水通路１８１ｂ、冷却水通路１８１ｃ、冷却水通路１８１ｄ、冷却水通路１８２ｃ、冷却水通路１８２ｄ及び冷却水通路１８ｂから、エンジン２０を通過する（つまり、迂回しない）一方でラジエータ１４を通過しない（つまり、迂回する）メイン通路が形成されている。尚、メイン通路は、上述した「第１通路」の一具体例である。
【００４３】
一方で、冷却水通路１８２ａは、排熱回収器１１に接続されている。排熱回収器１１からは、冷却水通路１８２ｂが延びている。冷却水通路１８２ｂは、切替弁１３から延びる冷却水通路１８１ｄと合流すると共に、ヒータコア１２に接続される冷却水通路１８２ｃに接続されている。つまり、電動ＷＰ１６から吐出された冷却水は、冷却水通路１８ａ、冷却水通路１８２ａ、冷却水通路１８２ｂ、冷却水通路１８２ｃ、冷却水通路１８２ｄ及び冷却水通路１８ｂをこの順に通過することで、電動ＷＰ１６へと戻る。つまり、冷却水通路１８ａ、冷却水通路１８２ａ、冷却水通路１８２ｂ、冷却水通路１８２ｃ、冷却水通路１８２ｄ及び冷却水通路１８ｂから、エンジン２０を通過しない（つまり、迂回する）バイパス通路が形成されている。尚、バイパス通路は、上述した「第２通路」の一具体例である。
【００４４】
他方で、ラジエータ１４からは、サーモスタット１５に接続される冷却水通路１８３ｂが延びている。つまり、電動ＷＰ１６から吐出された冷却水は、冷却水通路１８ａ、冷却水通路１８１ａ、冷却水通路１８１ｂ、冷却水通路１８３ａ、冷却水通路１８３ｂ及び冷却水通路１８ｂをこの順に通過することで、電動ＷＰ１６へと戻る。つまり、冷却水通路１８ａ、冷却水通路１８１ａ、冷却水通路１８１ｂ、冷却水通路１８３ａ、冷却水通路１８３ｂ及び冷却水通路１８ｂから、エンジン２０を通過する（つまり、迂回しない）と共にラジエータ１４も通過する（つまり、迂回しない）サブ通路が形成されている。
【００４５】
エンジン２０は、供給される燃料と空気との混合気を燃焼させることによって動力を発生する装置である。例えば、エンジン２０は、ガソリンエンジンやディーゼルエンジン等である。また、エンジン２０は、ハイブリッド車両等に搭載されてもよい。冷却水は、冷却水通路１８１ａからエンジン２０のエンジンブロックに流入する。エンジン２０に流入した冷却水は、エンジン２０内のウォータジャケットを通過する。ウォータジャケットを通過した冷却水は、エンジン２０のエンジンヘッドから、冷却水通路１８１ｂへと流出する。ウォータジャケットは、エンジン２０内のシリンダ（不図示）の周囲に設けられている。シリンダは、ウォータジャケットを通過する冷却水と熱交換を行う。その結果、エンジン２０の冷却が行われる。
【００４６】
水温センサ１７ｗは、エンジン２０を通過した冷却水の水温（以下、適宜“エンジン水温”と称する）ｔｈｗを測定する。特に、水温センサ１７ｗは、エンジン２０のウォータジャケットと切替弁１３との間に位置する冷却水通路１８１ｂに設置されている。但し、水温センサ１７ｗは、エンジン２０のウォータジャケットと切替弁１３との間に位置する冷却水通路１８１ｃに設置されてもよい。つまり、本実施形態では、エンジン水温ｔｈｗとして、エンジン２０のウォータジャケットと切替弁１３との間に位置する冷却水通路１８１ｂを通過する冷却水の水温が用いられる。水温センサ１７ｗが測定したエンジン水温ｔｈｗは、ＥＣＵ３０に出力される。
【００４７】
排熱回収器１１は、エンジン２０からの排気ガスが通過する排気通路（不図示）上に設けられている。冷却水は、排熱回収器１１の内部を通過する。排熱回収器１１は、内部を通過する冷却水と排気ガスとの間で熱交換を行うことで、排気熱を回収する。つまり、排熱回収器１１は、排気ガスの熱を用いて冷却水を加熱することができる。
【００４８】
ヒータコア１２は、当該ヒータコア１２の内部を通過する冷却水と空気との間で熱交換を行うことで、冷却水が有する熱を回収する。ヒータコア１２が回収した熱によって暖められた空気は、例えば、暖房やデフロスタやデアイス等のために、ヒータブロア（不図示）と呼ばれる送風機によって車室内に送風される。
【００４９】
水温センサ１７ｂは、ヒータコア１２に流入してくる冷却水の水温（以下、適宜“バイパス水温”と称する）ｔｈｂを測定する。特に、水温センサ１７ｂは、切替弁１３とヒータコア１２の間に位置する冷却水通路１８２ｃに設置されている。但し、水温センサ１７ｂは、切替弁１３とヒータコア１２の間に位置する冷却水通路１８１ｄに設置されていてもよい。つまり、本実施形態では、バイパス水温ｔｈｂとして、切替弁１３とヒータコア１２との間に位置する冷却水通路１８２ｃを通過する冷却水の水温が用いられる。但し、バイパス水温ｔｈｂとして、バイパス通路のうちの一部（例えば、冷却水通路１８２ａや、冷却水通路１８２ｂや、冷却水通路１８２ｄ）を通過する冷却水の水温が用いられてもよい。水温センサ１７ｂが測定したバイパス水温ｔｈｂは、ＥＣＵ３０に出力される。
【００５０】
切替弁１３は、ＥＣＵ３０の制御の下で、弁体１３ａ（図２（ａ）から図２（ｄ）参照）の開閉状態を変えることができる弁（例えば、ＦＣＶ：Ｆｌｏｗ  Ｃｏｎｔｒｏｌ  Ｖａｌｖｅ）である。例えば、切替弁１３が閉弁されている場合には、冷却水通路１８１ｃから冷却水通路１８１ｄへの冷却水の流入が遮断される。この場合、冷却水通路１８１ａ、冷却水通路１８１ｂ及び冷却水通路１８１ｃ内では、冷却水が滞留する。一方で、切替弁１３が開弁されている場合には、冷却水通路１８１ｃから冷却水通路１８１ｄへの冷却水の流入が許可される。この場合、エンジン２０から冷却水通路１８１ｂに流出した冷却水は、冷却水通路１８１ｃ及び冷却水通路１８１ｄを通過してヒータコア１２に流入する。加えて、切替弁１３は、ＥＣＵ３０の制御の下で、開弁時の弁体１３ａの開度を調整することができる。つまり、切替弁１３は、切替弁１３から冷却水通路１８１ｄへと流出する冷却水の流量（実質的には、メイン通路における冷却水の流量）及び切替弁１３から冷却水通路１８３ａへと流出する冷却水の流量（実質的には、サブ通路における冷却水の流量）を調整することができる。
【００５１】
ここで、図２（ａ）から図２（ｄ）を参照しながら、切替弁１３の構成について説明する。図２（ａ）及び図２（ｂ）は、切替弁１３の構成の第１の例を示す断面図である。図２（ｃ）及び図２（ｄ）は、切替弁１３の構成の第２の例を示す断面図である。
【００５２】
図２（ａ）及び図２（ｂ）に示すように、切替弁１３は、冷却水通路１８１ｃと冷却水通路１８１ｄとの間の空隙を物理的に閉塞するための弁体１３ａと、冷却水が流れる方向（つまり、冷却水通路１８１ｃから冷却水通路１８１ｄに向かう方向）に沿って弁体１３ｂを貫通する微小流出孔１３ｂとを備えていてもよい。
【００５３】
この場合、切替弁１３が閉弁されている場合には、弁体１３ａは、冷却水通路１８１ｃと冷却水通路１８１ｄとの間の空隙を物理的に閉塞する。従って、冷却水は、微小流出孔１３ｂを介して、冷却水通路１８１ｃから冷却水通路１８１ｄへと流出する。一方で、切替弁１３が開弁されている場合には、弁体１３ａは、冷却水通路１８１ｃと冷却水通路１８１ｄとの間に空隙（つまり、冷却水通路１８１ｃと冷却水通路１８１ｄとを接続する空隙）が形成されるように可動する。従って、冷却水は、微小流出孔１３ｂに加えて又は代えて、弁体１３ａの周囲の空隙を介して、冷却水通路１８１ｃから冷却水通路１８１ｄへと流出する。このため、切替弁１３が開弁されている場合に冷却水通路１８１ｃから冷却水通路１８１ｄへと流出する冷却水の流量は、切替弁１３が閉弁されている場合に冷却水通路１８１ｃから冷却水通路１８１ｄへと流出する冷却水の流量よりも多くなる。
【００５４】
或いは、図２（ｃ）及び図２（ｄ）に示すように、切替弁１３は、冷却水通路１８１ｃと冷却水通路１８１ｄとの間の空隙を物理的に閉塞するための弁体１３ａと、弁体１３ａを迂回して冷却水通路１８１ｃから冷却水通路１８１ｄへと冷却水を流出させることが可能な微小流出路１３ｄとを備えていてもよい。
【００５５】
この場合、切替弁１３が閉弁されている場合には、弁体１３ａは、冷却水通路１８１ｃと冷却水通路１８１ｄとの間の空隙を物理的に閉塞する。従って、冷却水は、微小流出路１３ｃを介して、冷却水通路１８１ｃから冷却水通路１８１ｄへと流出する。一方で、切替弁１３が開弁されている場合には、弁体１３ａは、冷却水通路１８１ｃと冷却水通路１８１ｄとの間に空隙（つまり、冷却水通路１８１ｃと冷却水通路１８１ｄとを接続する空隙）が形成されるように可動する。従って、冷却水は、微小流出路１３ｃに加えて又は代えて、弁体１３ａの周囲の空隙を介して、冷却水通路１８１ｃから冷却水通路１８１ｄへと流出する。このため、切替弁１３が開弁されている場合に冷却水通路１８１ｃから冷却水通路１８１ｄへと流出する冷却水の流量は、切替弁１３が閉弁されている場合に冷却水通路１８１ｃから冷却水通路１８１ｄへと流出する冷却水の流量よりも多くなる。
【００５６】
尚、弁体１３ａの可動量に応じて、冷却水通路１８１ｃから冷却水通路１８１ｄへと流出する冷却水の流量が適宜調整されてもよい。
【００５７】
また、図２（ａ）から図２（ｄ）に示す切替弁１３はあくまで一例であって、図２（ａ）から図２（ｄ）に示す切替弁１３とは異なる構造を有する切替弁１３が用いられてもよい。但し、切替弁１３は、閉弁されている場合であっても冷却水通路１８１ｃから冷却水通路１８１ｄへと冷却水を流出させることができる構造（例えば、上述した微小流出孔１３ｂや、微小流出路１３ｃ、又はこれらと同様の作用を有する構造等）を有していることが好ましい。
【００５８】
再び図１において、ラジエータ１４では、当該ラジエータ１４の内部を通過する冷却水が外気によって冷却される。この場合、電動ファン（不図示）の回転により導入された風によって、ラジエータ１４内の冷却水の冷却が促進される。
【００５９】
加えて、サーモスタット１５は、冷却水の水温（例えば、エンジン水温ｔｈｗ）に応じて開閉する弁を含んでいる。典型的には、サーモスタット１５は、冷却水の水温が高温である（例えば、所定水温以上である）場合に開弁する。この場合、サーモスタット１５を介して冷却水通路１８３ｂと冷却水通路１８ｂとが接続される。その結果、冷却水はラジエータ１４を通過することとなる。これにより、冷却水が冷却され、エンジン２０のオーバーヒートが抑制される。これに対して、冷却水の水温が比較的低温である（例えば、所定水温以上でない）場合には、サーモスタット１５は閉弁している。この場合には、冷却水はラジエータ１４を通過しない。これにより、冷却水の水温低下が抑制されるため、エンジン２０のオーバークールが抑制される。
【００６０】
電動ＷＰ１６は、電動式のモータを備えて構成され、このモータの駆動により冷却水を冷却水通路１８内で循環させる。具体的には、電動ＷＰ１６は、バッテリから電力が供給され、ＥＣＵ３０から供給される制御信号によって回転数などが制御される。なお、電動ＷＰ１６の代わりに、エンジン２０の作動とは関係なく又はエンジン２０の作動と関連して動作可能で、且つ、ＥＣＵ３０によって制御可能な機械式のウォータポンプが用いられてもよい。
【００６１】
ＥＣＵ（Ｅｌｅｃｔｒｏｎｉｃ  Ｃｏｎｔｒｏｌ  Ｕｎｉｔ）３０は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備える。ＥＣＵ３０は、「冷却水制御装置」の一具体例であって、冷却装置１０が備える切替弁１３に故障が生じているか否かを判定する。
【００６２】
（２）冷却装置における冷却水の循環の態様の具体例
続いて、図３から図５を参照しながら、冷却装置１０における冷却水の循環の態様の具体例について説明する。図３は、エンジン水温ｔｈｗが第１範囲にある場合の冷却水の循環の態様を示すブロック図である。図４は、エンジン水温ｔｈｗが第１範囲よりも高い第２範囲にある場合の冷却水の循環の態様を示すブロック図である。図５は、エンジン水温ｔｈｗが第２範囲よりも高い第３範囲にある場合の冷却水の循環の態様を示すブロック図である。
【００６３】
まず、エンジン水温ｔｈｗが、エンジン２０の暖機が完了していない第１範囲（例えば、Ｔ１℃未満の水温範囲）にある場合には、ＥＣＵ３０は、切替弁１３を閉弁させる指令を、切替弁１３に対して出力する。その結果、切替弁１３は、閉弁する。更に、この場合には、サーモスタット１５は閉弁している。従って、図３に示すように、冷却水通路１８１ｃから冷却水通路１８１ｄへ冷却水の流入及び冷却水通路１８３ｂから冷却水通路１８ｂへの冷却水の流入が遮断される。このため、メイン通路を構成する冷却水通路１８１ａ、冷却水通路１８１ｂ、冷却水通路１８１ｃ及び冷却水通路１８１ｄ内では、冷却水が滞留する。同様に、サブ通路を構成する冷却水通路１８３ａ及び冷却水通路１８３ｂ内では、冷却水が滞留する。他方で、バイパス通路を構成する冷却水通路１８ａ、冷却水通路１８２ａ、冷却水通路１８２ｂ、冷却水通路１８２ｃ、冷却水通路１８２ｄ及び冷却水通路１８ｂ内では、冷却水が循環する。尚、図３中の矢印は、冷却水が流れる方向を示している。
【００６４】
一方で、エンジン水温ｔｈｗが、エンジン２０の暖機が完了している一方でサーモスタット１５が開弁しない第２範囲（例えば、Ｔ１℃以上且つＴ２（但し、Ｔ２＞Ｔ１）℃以下の水温範囲）にある場合には、ＥＣＵ３０は、切替弁１３を開弁させる指令を、切替弁１３に対して出力する。その結果、切替弁１３は、開弁する。更に、この場合には、サーモスタット１５は閉弁している。従って、図４に示すように、冷却水通路１８１ｃから冷却水通路１８１ｄへ冷却水の流入が許容される。一方で、冷却水通路１８３ｂから冷却水通路１８ｂへの冷却水の流入が遮断される。このため、メイン通路を構成する冷却水通路１８１ａ、冷却水通路１８１ｂ、冷却水通路１８１ｃ及び冷却水通路１８１ｄ内では、冷却水が循環する。同様に、バイパス通路を構成する冷却水通路１８ａ、冷却水通路１８２ａ、冷却水通路１８２ｂ、冷却水通路１８２ｃ、冷却水通路１８２ｄ及び冷却水通路１８ｂ内では、冷却水が循環する。他方で、サブ通路を構成する冷却水通路１８３ａ及び冷却水通路１８３ｂ内では、冷却水が滞留する。他方で、尚、図４中の矢印は、冷却水が流れる方向を示している。
【００６５】
他方で、エンジン水温ｔｈｗが、サーモスタット１５が開弁する第３範囲（例えば、Ｔ２℃より大きい水温範囲）にある場合には、ＥＣＵ３０は、切替弁１３を開弁させる指令を、切替弁１３に対して出力する。その結果、切替弁１３は、開弁する。更に、この場合には、サーモスタット１５は開弁している。従って、図５に示すように、冷却水通路１８１ｃから冷却水通路１８１ｄへ冷却水の流入及び冷却水通路１８３ｂから冷却水通路１８ｂへの冷却水の流入が許容される。このため、メイン通路を構成する冷却水通路１８１ａ、冷却水通路１８１ｂ、冷却水通路１８１ｃ及び冷却水通路１８１ｄ内では、冷却水が循環する。同様に、サブ通路を構成する冷却水通路１８３ａ及び冷却水通路１８３ｂ内では、冷却水が循環する。同様に、バイパス通路を構成する冷却水通路１８ａ、冷却水通路１８２ａ、冷却水通路１８２ｂ、冷却水通路１８２ｃ、冷却水通路１８２ｄ及び冷却水通路１８ｂ内では、冷却水が循環する。尚、図５中の矢印は、冷却水が流れる方向を示している。
【００６６】
（３）切替弁に故障が生じているか否かの判定動作の流れ
続いて、図６から図１１を参照しながら、切替弁１３に故障が生じているか否かの判定動作の流れについて説明する。特に、以下では、閉弁している切替弁１３に故障が生じているか否かの判定動作の流れについて説明する。
【００６７】
尚、本実施形態では、閉弁している切替弁１３を冷却水が通過することができなくなる（つまり、閉弁している切替弁１３を介して、冷却水通路１８１ｃから冷却水通路１８１ｄへと冷却水が流出できなくなる）故障が、閉弁している切替弁１３に生ずる故障であるものとする。このような故障は、例えば、上述した微小流出孔１３ｂの詰まりや、上述した微小流出路１３ｃの詰まりによって生じ得る。
【００６８】
（３−１）切替弁に故障が生じているか否かの第１判定動作
初めに、図６を参照しながら、切替弁１３に故障が生じているか否かの判定動作の第１の例（以降、適宜“第１判定動作”と称する）について説明する。図６は、閉弁している切替弁１３に故障が生じている場合のエンジン２０の内部の冷却水の水温の分布状態及びエンジン水温ｔｈｗの増加傾向、並びに、閉弁している切替弁１３に故障が生じていない場合のエンジン２０の内部の冷却水の水温の分布状態及びエンジン水温ｔｈｗの増加傾向を示すグラフである。
【００６９】
第１判定動作では、ＥＣＵ３０は、エンジン水温ｔｈｗの増加傾向に基づいて、閉弁している切替弁１３に故障が生じているか否かを判定する。というのも、閉弁している切替弁１３に故障が生じている場合のエンジン水温ｔｈｗの増加傾向は、閉弁している切替弁１３に故障が生じていない場合のエンジン水温ｔｈｗの増加傾向と異なるからである。以下、閉弁している切替弁１３に故障が生じている場合のエンジン水温ｔｈｗの増加傾向及び閉弁している切替弁１３に故障が生じていない場合のエンジン水温ｔｈｗの増加傾向について説明する。
【００７０】
閉弁している切替弁１３に故障が生じていない場合には、切替弁１３が備える微小流出孔１３ｂ（或いは、微小流出路１３ｃ）を介して冷却水通路１８１ｃから冷却水通路１８１ｄへと冷却水が流出する。つまり、メイン通路内で冷却水が滞留してしまう（言い換えれば、循環しなくなってしまう）ことがない。従って、図６（ａ）の点線で示すように、エンジン２０の内部の冷却水（つまり、エンジンブロック及びエンジンヘッドに存在する冷却水）の水温のばらつき（つまり、冷却水が存在する位置に応じたばらつき）は相対的に小さくなる。但し、この場合であっても、典型的には、エンジン２０の内部の冷却水の水温は、エンジン２０への冷却水の流入口付近において最も低くなる。また、典型的には、エンジン２０の内部の冷却水の水温は、エンジン２０内を通過するにつれて高くなっていく。
【００７１】
更には、メイン通路内で冷却水が滞留してしまうことがないがゆえに、メイン通路を循環する冷却水は、エンジン２０から熱を受けた後にそのままエンジン２０から流出していく。従って、図６（ｂ）の点線で示すように、エンジン２０から流出してきた冷却水の水温に相当するエンジン水温ｔｈｗは、エンジン２０の熱を受けた冷却水のエンジン２０からの円滑な流出に起因して、増加しやすい又は迅速に増加する傾向にある。つまり、エンジン水温ｔｈｗは、エンジン２０の内部の冷却水の水温の増加態様に合わせて迅速に増加する傾向にある。言い換えれば、エンジン２０の内部の冷却水の水温の増加態様に対するエンジン水温ｔｈｗの増加態様の応答遅れは、相対的に小さくなる傾向にある。
【００７２】
一方で、閉弁している切替弁１３に故障が生じている場合には、切替弁１３が備える微小流出孔１３ｂ（或いは、微小流出路１３ｃ）を介して冷却水通路１８１ｃから冷却水通路１８１ｄへと冷却水が流出しなくなってしまう。このため、メイン通路内で冷却水が滞留してしまう（言い換えれば、循環しなくなってしまう）。従って、図６（ｂ）の一点鎖線で示すように、エンジン２０の内部の冷却水の水温のばらつきは相対的に大きくなる。典型的には、エンジン２０の内部の冷却水の水温は、シリンダが存在するエンジン２０の中央付近で最も高くなる。言い換えれば、エンジン２０の内部の冷却水の水温は、シリンダが存在するエンジン２０の中央から離れれば離れるほど低くなる。つまり、エンジン２０の内部の冷却水の水温が増加しているにもかかわらず、エンジン水温ｔｈｗが増加しにくい状況が生じ得る。
【００７３】
更には、メイン通路内で冷却水が滞留してしまうがゆえに、エンジン２０の熱によって水温が相対的に高くなった冷却水がエンジン２０から流出しなくなる又は流出しにくくなる。従って、エンジン２０から流出してきた冷却水の水温に相当するエンジン水温ｔｈｗは、エンジン２０の内部に滞留している冷却水から当該冷却水を介して受ける熱伝導によって増加することになる。そうすると、図６（ｂ）の一点鎖線で示すように、エンジン水温ｔｈｗは、冷却水を介して受ける熱伝導の効率の悪さに起因して、増加しにくい又は迅速に増加しない傾向にある。つまり、エンジン水温ｔｈｗは、エンジン２０の内部における冷却水の水温の増加態様に対して遅れをもって増加する傾向にある。言い換えれば、エンジン２０の内部における冷却水の水温の増加態様に対するエンジン水温ｔｈｗの増加態様の応答遅れは、相対的に大きくなる傾向にある。
【００７４】
このように、閉弁状態である切替弁に故障が生じていない場合のエンジン水温ｔｈｗの増加傾向及び閉弁状態である切替弁に故障が生じている場合のエンジン水温ｔｈｗの増加傾向が異なる。このため、ＥＣＵ３０は、このようなエンジン水温ｔｈｗの増加傾向の違いに基づいて、閉弁している切替弁１３に故障が生じているか否かを判定することができる。
【００７５】
以下、図７を参照しながら、エンジン水温ｔｈｗの増加傾向に基づいて閉弁している切替弁１３に故障が生じているか否かを判定する第１判定動作の流れの一例について説明する。図７は、閉弁している切替弁１３に故障が生じているか否かの第１判定動作の流れを示すフローチャートである。
【００７６】
図７に示すように、ＥＣＵ３０は、切替弁１３を閉弁させる指令を出力したか否かを判定する（ステップＳ１１）。言い換えれば、ＥＵＣ３０は、開弁している切替弁１３が、新たに閉弁されることになったか否かを判定する。
【００７７】
ステップＳ１１の判定の結果、切替弁１３を閉弁させる指令を出力していないと判定される場合には（ステップＳ１１：Ｎｏ）、ＥＣＵ３０は、動作を終了する。この場合、ＥＣＵ３０は、定期的に又は非定期的に、図７に示す第１判定動作を繰り返し行ってもよい。
【００７８】
他方で、ステップＳ１１の判定の結果、切替弁１３を閉弁させる指令を出力したと判定される場合には（ステップＳ１１：Ｙｅｓ）、ＥＣＵ３０は、切替弁１３を閉弁させる指令が出力されてからのエンジン水温ｔｈｗの増加量の予測値に相当する水温増加予測カウンタΔｔｃｎｔを算出する（ステップＳ１２）。加えて、ＥＣＵ３０は、切替弁１３を閉弁させる指令が出力されてからのエンジン水温ｔｈｗの増加量の実測値に相当する水温増加実カウンタΔｔｈｗ（＝現在のエンジン水温ｔｈｗ−切替弁１３を閉弁させる指令が出力された時点でのエンジン水温ｔｈｗ）を算出する（ステップＳ１３）。
【００７９】
ＥＣＵ３０は、水温増加予測カウンタΔｔｃｎｔを、閉弁状態である切替弁に故障が生じていない場合のエンジン水温ｔｈｗの増加量と閉弁状態である切替弁に故障が生じている場合のエンジン水温ｔｈｗの増加量とを適切に識別するための指標値として用いる。このため、水温増加予測カウンタΔｔｃｎｔは、例えば、閉弁している切替弁１３に故障が生じていると仮定した場合におけるエンジン水温ｔｈｗの増加量の予測値と、閉弁している切替弁１３に故障が生じていないと仮定した場合におけるエンジン水温ｔｈｗの増加量の予測値との平均値（或いは、加重平均値）に相当する値であってもよい。
【００８０】
ＥＣＵ３０は、このような水温増加予測カウンタΔｔｃｎｔを、エンジン水温ｔｈｗの増加傾向に影響を与え得る任意のパラメータを引数とする所望の関数（或いは、所望のテーブル、マップ又はその他の任意の相関関係を示す任意の情報）に基づいて算出してもよい。エンジン水温ｔｈｗを変動させ得る任意のパラメータとして、例えば、エンジン２０の吸気量等が一例としてあげられる。
【００８１】
その後、ＥＣＵ３０は、水温増加予測カウンタΔｔｃｎｔ及び水温増加実カウンタΔｔｈｗのいずれが先に、判定用水温よりも大きくなるかを判定する（ステップＳ１４及びステップＳ１６）。尚、判定用水温は、切替弁１３を閉弁させる指令が出力された時点でのエンジン水温ｔｈｗよりも大きい任意の水温であってもよい。
【００８２】
ステップＳ１４及びステップＳ１６の判定の結果、水温増加実カウンタΔｔｈｗが先に判定温度よりも大きくなると判定される場合には（ステップＳ１４：Ｙｅｓ）、ＥＣＵ３０は、閉弁している切替弁１３に故障が生じていないと判定する（ステップＳ１５）。
【００８３】
他方で、ステップＳ１４及びステップＳ１６の判定の結果、水温増加予測カウンタΔｔｃｎｔが先に判定温度よりも大きくなると判定される場合には（ステップＳ１４：Ｎｏ、且つ、ステップＳ１６：Ｙｅｓ）、ＥＣＵ３０は、閉弁している切替弁１３に故障が生じていると判定する（ステップＳ１７）。
【００８４】
ＥＣＵ３０は、以上説明したステップＳ１２からステップＳ１６までの動作を、水温増加予測カウンタΔｔｃｎｔ及び水温増加実カウンタΔｔｈｗのうちのいずれか一方が判定温度よりも大きくなると判定されるまで繰り返し行う。
【００８５】
ここで、図８を参照しながら、水温増加予測カウンタΔｔｃｎｔ及び水温増加実カウンタΔｔｈｗと閉弁している切替弁１３における故障の有無との間の関係について説明する。図８は、水温増加予測カウンタΔｔｃｎｔ及び水温増加実カウンタΔｔｈｗと閉弁している切替弁１３における故障の有無との間の関係を示すグラフである。
【００８６】
図８に示すように、閉弁している切替弁１３に故障が生じている場合における水温増加実カウンタΔｔｈｗは、閉弁している切替弁１３に故障が生じていない場合における水温増加実カウンタΔｔｈｗと比較して、増加しにくい傾向にある。その理由は上述した通りである。従って、水温増加実カウンタΔｔｈｗが水温増加予測カウンタΔｔｃｎｔよりも先に判定用水温よりも大きくなる場合（図８の時刻ｔ８１における白丸参照）には、閉弁している切替弁１３に故障が生じていない可能性が高いと想定される。一方で、水温増加予測カウンタΔｔｃｎｔが水温増加実カウンタΔｔｈｗよりも先に判定用水温よりも大きくなる場合（図８の時刻ｔ８２における黒丸参照）には、閉弁している切替弁１３に故障が生じている可能性が高いと想定される。
【００８７】
尚、図８を見て分かるように、判定用水温を過度に小さくし過ぎる（例えば、切替弁１３を閉弁させる指令が出力された時点でのエンジン水温ｔｈｗと判定温度との間の差分を小さくし過ぎると、閉弁している切替弁１３に故障が生じているか否かの判定が困難になりかねない。というのも、上述したように、エンジン２０の内部における冷却水の水温の増加態様に対するエンジン水温ｔｈｗの増加態様の応答遅れが存在するからである。従って、判定用水温は、閉弁している切替弁１３に故障が生じているか否かを好適に判定することができる程度の水温に設定されることが好ましい。
【００８８】
また、図８を見て分かるように、水温増加予測カウンタΔｔｃｎｔ及び水温増加実カウンタΔｔｈｗのいずれが先に判定用水温よりも大きくなるかの判定動作は、実質的には、水温増加実カウンタΔｔｈｗが判定用水温よりも大きくなるまでに要する時間が所定値（例えば、水温増加予測カウンタΔｔｃｎｔが判定用水温よりも大きくなるまでに要する時間）よりも大きいか否かの判定動作であると言える。この場合、水温増加実カウンタΔｔｈｗが判定用水温よりも大きくなるまでに要する時間（例えば、図８のｔ８１−ｔ８０）が、水温増加予測カウンタΔｔｃｎｔが判定用水温よりも大きくなるまでに要する時間（例えば、図８のｔ８２−ｔ８０）よりも小さい場合には、閉弁している切替弁１３に故障が生じていない可能性が高いと想定される。水温増加実カウンタΔｔｈｗが判定用水温よりも大きくなるまでに要する時間（例えば、図８のｔ８３−ｔ８０）が、水温増加予測カウンタΔｔｃｎｔが判定用水温よりも大きくなるまでに要する時間（例えば、図８のｔ８２−ｔ８０）よりも小さくない場合には、閉弁している切替弁１３に故障が生じている可能性が高いと想定される。従って、ＥＣＵ３０は、水温増加予測カウンタΔｔｃｎｔが判定用水温よりも大きくなるまでに要する時間及び水温増加実カウンタΔｔｈｗが判定用水温よりも大きくなるまでに要する時間を計測又は予測すると共に、これら２つの時間の大小関係を判定することで、閉弁している切替弁１３に故障が生じているか否かを判定してもよい。尚、水温増加予測カウンタΔｔｃｎｔが判定用水温よりも大きくなるまでに要する時間は、上述した「判定用時間」の一具体例となる。また、水温増加実カウンタΔｔｈｗが判定温度よりも大きくなるまでに要する時間が、上述した「所要時間」の一具体例となる。
【００８９】
また、ＥＣＵ３０は、上述した態様とは異なる態様の判定動作を行うことで、水温増加予測カウンタΔｔｃｎｔ及び水温増加実カウンタΔｔｈｗのいずれが先に判定温度よりも大きくなるかの判定動作を間接的に行ってもよい。言い換えれば、ＥＵＣ３０は、上述した態様とは異なる態様の判定動作を行うことで、水温増加予測カウンタΔｔｃｎｔが判定温度よりも大きくなるまでに要する時間と水温増加実カウンタΔｔｈｗが判定温度よりも大きくなるまでに要する時間との大小関係の判定動作を行ってもよい。要は、ＥＣＵ３０は、上述した閉弁している切替弁１３に故障が生じている場合のエンジン水温ｔｈｗの増加傾向と閉弁している切替弁１３に故障が生じていない場合のエンジン水温ｔｈｗの増加傾向との間の違いを直接的に又は間接的に判定することができる任意の判定動作を行ってもよい。
【００９０】
例えば、ＥＣＵ３０は、切替弁１３を閉弁させる指令が出力されてから所定時間が経過した時点での水温増加実カウンタΔｔｈｗが所定値（例えば、切替弁１３を閉弁させる指令が出力されてから所定時間が経過した時点での水温増加予測カウンタΔｔｃｎｔ）よりも大きいか否かを判定することで、閉弁している切替弁１３に故障が生じているか否かを判定してもよい。この場合、ＥＣＵ３０は、切替弁１３を閉弁させる指令が出力されてから所定時間が経過した時点での水温増加実カウンタΔｔｈｗが所定値よりも大きい場合（図８の時刻ｔ８１における白丸参照）には、閉弁している切替弁１３に故障が生じていないと判定してもよい。一方で、ＥＣＵ３０は、切替弁１３を閉弁させる指令が出力されてから所定時間が経過した時点での水温増加実カウンタΔｔｈｗが所定値よりも大きくない場合（図８の時刻ｔ８２における黒丸参照）には、閉弁している切替弁１３に故障が生じていると判定してもよい。
【００９１】
以上説明したように、第１判定動作によれば、ＥＣＵ３０は、エンジン水温ｔｈｗの増加傾向に基づいて、閉弁している切替弁１３に故障が生じているか否かを判定することができる。特に、ＥＣＵ３０は、「エンジン２０の内部の冷却水の水温に対して応答遅れを有する（つまり、遅れて増加する）エンジン水温ｔｈｗの増加傾向が閉弁している切替弁１３における故障の有無に応じて変わる」という特性に基づいて、閉弁している切替弁１３に故障が生じているか否かを判定することができる。従って、ＥＣＵ３０は、閉弁している切替弁１３に故障が生じているか否かを好適に判定することができる。
【００９２】
（３−２）切替弁に故障が生じているか否かの第２判定動作
続いて、図９及び図１０を参照しながら、切替弁１３に故障が生じているか否かの判定動作の第２の例（以降、適宜“第２判定動作”と称する）について説明する。図９は、閉弁している切替弁１３に故障が生じている場合のエンジン水温ｔｈｗ及びバイパス水温ｔｈｂ、並びに、閉弁している切替弁１３に故障が生じていない場合のエンジン水温ｔｈｗ及びバイパス水温ｔｈｂを示すグラフである。図１０は、切替弁１３に故障が生じているか否かの判定動作の精度を示す表である。
【００９３】
第２判定動作では、ＥＣＵ３０は、エンジン水温ｔｈｗの増加傾向（つまり、上述した水温増加実カウンタΔｔｈｗ）に加えて又は代えて、エンジン水温ｔｈｗとバイパス水温ｔｈｂとの間の差分ΔＴｓｅｎｓ（＝エンジン水温ｔｈｗ−バイパス水温ｔｈｂ）に基づいて、閉弁している切替弁１３に故障が生じているか否かを判定する。
【００９４】
ここで、エンジン水温ｔｈｗとバイパス水温ｔｈｂとの間の差分ΔＴｓｅｎｓに基づいて閉弁している切替弁１３に故障が生じているか否かを判定する動作について説明する。
【００９５】
閉弁している切替弁１３に故障が生じていない場合には、切替弁１３を介して冷却水通路１８１ｃから冷却水通路１８１ｄへと冷却水が流出する。このため、図９の点線で示すように、エンジン水温ｔｈｗ（つまり、切替弁１３の上流側の冷却水の水温）とバイパス水温（つまり、切替弁１３の下流側の冷却水の水温）ｔｈｂとの間の差分ΔＴｓｅｎｓは相対的に小さくなる。
【００９６】
一方で、閉弁している切替弁１３に故障が生じている場合には、メイン通路内に冷却水が滞留してしまう。このため、エンジン２０の熱により、バイパス水温ｔｈｂと比較してエンジン水温ｔｈｗが増加しやすい。従って、図９の一点鎖線で示すように、閉弁している切替弁１３に故障が生じている場合には、エンジン水温ｔｈｗ（つまり、切替弁１３の上流側の冷却水の水温）とバイパス水温（つまり、切替弁１３の下流側の冷却水の水温）ｔｈｂとの間の差分ΔＴｓｅｎｓは相対的に大きくなる。
【００９７】
このため、ＥＣＵ３０は、差分ΔＴｓｅｎｓが所定の判定用閾値よりも大きいか否かを判定することで、閉弁している切替弁１３に故障が生じているか否かを判定する。具体的には、ＥＣＵ３０は、差分ΔＴｓｅｎｓが所定の判定用閾値よりも大きい場合には、閉弁している切替弁１３に故障が生じていると判定する。一方で、ＥＣＵ３０は、差分ΔＴｓｅｎｓが所定の判定用閾値よりも大きくない場合には、閉弁している切替弁１３に故障が生じていないと判定する。
【００９８】
第２判定動作では特に、ＥＣＵ３０は、エンジン２０の始動を開始してからの経過時間に応じて、閉弁している切替弁１３に故障が生じているか否かを判定するための具体的手法として、「エンジン水温ｔｈｗの増加傾向に基づく判定動作」及び「差分ΔＴｓｅｎｓに基づく判定動作」のいずれかを選択する。
【００９９】
具体的には、閉弁している切替弁１３に故障が生じている場合には、本来、エンジン水温ｔｈｗとバイパス水温ｔｈｂとの間の差分ΔＴｓｅｎｓが相対的に大きくなるべき（例えば、所定閾値よりも大きくなるべき）であることは上述したとおりである。しかしながら、エンジン２０が始動を開始してからの経過時間が相対的に短い（例えば、所定時間よりも短い）場合には、エンジン２０の暖機が進んでいる可能性が相対的に低いことに起因して、エンジン水温ｔｈｗが相対的に増加しにくい又は相対的に緩やかに増加する。言い換えれば、エンジン２０が始動を開始してからの経過時間が相対的に短い場合には、エンジン水温ｔｈｗが相対的に低い状態が維持されやすくなる。その結果、図９のグラフの相対的に左側の時間領域（特に、細い点線で囲んだ時間領域）に示すように、閉弁している切替弁１３に故障が生じているがゆえに本来差分ΔＴｓｅｎｓが相対的に大きくなるべきであるにも関わらず、差分ΔＴｓｅｎｓが相対的に大きくならない（例えば、所定閾値よりも大きくならない）状況が生ずるおそれがある。つまり、エンジン２０が始動を開始してからの経過時間が相対的に短い場合には、閉弁している切替弁１３に故障が生じている場合であっても、差分ΔＴｓｅｎｓが判定用閾値よりも大きくならない状況が生ずるおそれがある。従って、エンジン２０が始動を開始してからの経過時間が相対的に短い場合には、差分ΔＴｓｅｎｓに基づく判定の精度が悪化してしまうおそれがある。このため、ＥＣＵ３０は、エンジン２０が始動を開始してからの経過時間が相対的に短い場合には、エンジン水温ｔｈｗの増加傾向に基づいて、閉弁している切替弁１３に故障が生じているか否かを判定することが好ましい。
【０１００】
一方で、エンジン２０が始動を開始してからの経過時間が相対的に長い（例えば、所定時間よりも長い）場合には、エンジン２０の暖機が進んでいる可能性が相対的に高いことに起因して、エンジン水温ｔｈｗがある程度増加していると想定される。そうすると、図９のグラフの相対的に右側の時間領域（特に、細い点線で囲んだ時間領域）に示すように、閉弁している切替弁１３に故障が生じている場合に差分ΔＴｓｅｎｓが相対的に大きくなる（例えば、判定閾値よりも大きくなる）と共に、閉弁している切替弁１３に故障が生じていない場合に差分ΔＴｓｅｎｓが相対的に小さくなる（例えば、判定閾値よりも大きくならない）。従って、エンジン２０が始動を開始してからの経過時間が相対的に長い場合には、差分ΔＴｓｅｎｓに基づく判定の精度が、誤判定してしまいかねないほどに悪化してしまうことは殆ど又は全くない。このため、ＥＣＵ３０は、エンジン２０が始動を開始してからの経過時間が相対的に長い場合には、エンジン水温ｔｈｗとバイパス水温ｔｈｂとの間の差分ΔＴｓｅｎｓに基づいて、閉弁している切替弁１３に故障が生じているか否かを判定してもよい。
【０１０１】
また、エンジン２０が始動を開始してからの経過時間が相対的に長い場合には、エンジン２０の運転状態によっては、閉弁している切替弁１３に故障が生じている場合のみならず、閉弁している切替弁１３に故障が生じていない場合においても、エンジン水温ｔｈｗが増加しにくくなる状況が生じ得る。言い換えれば、エンジン２０が始動を開始してからの経過時間が相対的に長い場合には、エンジン２０の運転状態によっては、閉弁している切替弁１３に故障が生じている場合におけるエンジン水温ｔｈｗの増加傾向と、閉弁している切替弁１３に故障が生じていない場合におけるエンジン水温ｔｈｗの増加傾向との間に明確な差異がなくなってしまう状況が生じ得る。つまり、エンジン水温ｔｈｗの増加傾向（例えば、エンジン水温ｔｈｗが増加しにくいという傾向）が、閉弁している切替弁１３の故障に起因しているのか、又は、エンジン水温ｔｈｗが既にある程度増加していることに起因しているのかを、ＥＣＵ３０が好適に区別することができない状況が生じ得る。従って、エンジン２０が始動を開始してからの経過時間が相対的に長い場合には、エンジン２０の運転状態によっては、エンジン水温ｔｈｗの増加傾向に基づく判定の精度が悪化してしまう状況が生じ得る。
【０１０２】
このようなエンジン水温ｔｈｗの増加傾向の要因の好適な区別が困難になる状況は、エンジン２０の出力が相対的に低い（或いは、所定出力よりも低い）場合に発生しやすい。なぜならば、エンジン２０の出力が相対的に高い（或いは、所定出力よりも高い）場合には、エンジン２０が発生する熱も高くなるがゆえに、エンジン水温ｔｈｗが増加しにくいという状況が生じにくいからである。
【０１０３】
従って、ＥＣＵ３０は、エンジン２０が始動を開始してからの経過時間が相対的に長く且つエンジン２０の出力が相対的に低い場合に、エンジン水温ｔｈｗとバイパス水温ｔｈｂとの間の差分ΔＴｓｅｎｓに基づいて、閉弁している切替弁１３に故障が生じているか否かを判定してもよい。一方で、ＥＣＵ３０は、エンジン２０が始動を開始してからの経過時間が相対的に長く且つエンジン２０の出力が相対的に高い場合には、エンジン水温ｔｈｗの増加傾向及びエンジン水温ｔｈｗとバイパス水温ｔｈｂとの間の差分ΔＴｓｅｎｓのうちの少なくとも一方に基づいて、閉弁している切替弁１３に故障が生じているか否かを判定してもよい。
【０１０４】
以上説明した「閉弁している切替弁１３に故障が生じているか否かの判定動作の精度」と、「エンジン２０の始動を開始してからの経過時間」と「エンジン２０の出力」との間の関係は、図１０にまとめられている。
【０１０５】
図１０に示すように、エンジン２０が始動を開始してからの経過時間が相対的に短い（例えば、所定時間より短い）場合には、エンジン水温ｔｈｗの増加傾向に基づく判定動作の精度は、誤判定するおそれが殆ど又は全くない程度に高くなる。一方で、エンジン水温ｔｈｗとバイパス水温ｔｈｂとの間の差分ΔＴｓｅｎｓに基づく判定動作の精度は、誤判定してしまいかねないほどに低くなりかねない。
【０１０６】
また、エンジン２０が始動を開始してからの経過時間が相対的に長く（例えば、所定時間より長く）且つエンジン２０の出力が相対的に低い（或いは、所定出力よりも低い）場合には、エンジン水温ｔｈｗとバイパス水温ｔｈｂとの間の差分ΔＴｓｅｎｓに基づく判定動作の精度は、誤判定するおそれが殆ど又は全くない程度に高くなる。一方で、エンジン水温ｔｈｗの増加傾向に基づく判定動作の精度は、誤判定してしまいかねないほどに低くなりかねない。
【０１０７】
また、エンジン２０が始動を開始してからの経過時間が相対的に長く（例えば、所定時間より長く）且つエンジン２０の出力が相対的に高い（或いは、所定出力よりも高い）場合には、エンジン水温ｔｈｗの増加傾向に基づく判定動作の精度は、誤判定するおそれが殆ど又は全くない程度に高くなる。一方で、エンジン水温ｔｈｗとバイパス水温ｔｈｂとの間の差分ΔＴｓｅｎｓに基づく判定動作の精度は、誤判定してしまいかねないほどに低くはならないものの、エンジン水温ｔｈｗの増加傾向に基づく判定動作の精度よりは低くなる。
【０１０８】
従って、ＥＣＵ３０は、図１０に示す「閉弁している切替弁１３に故障が生じているか否かの判定動作の精度」と、「エンジン２０の始動を開始してからの経過時間」と、「エンジン２０の出力」との間の関係を考慮しながら、適切な態様で閉弁している切替弁１３に故障が生じているか否かを判定することが好ましい。以下、図１１を参照しながら、エンジン水温ｔｈｗの増加傾向及びエンジン水温ｔｈｗとバイパス水温ｔｈｂとの間の差分ΔＴｓｅｎｓに基づいて閉弁している切替弁１３に故障が生じているか否かを判定する第２判定動作の流れの一例について説明する。図１１は、閉弁している切替弁１３に故障が生じているか否かの第２判定動作の流れを示すフローチャートである。尚、上述した第１判定動作と同一の動作については、同一のステップ番号を付して詳細な説明を省略する。
【０１０９】
図１１に示すように、第２判定動作においても、ＥＣＵ３０は、切替弁１３を閉弁させる指令を出力したか否かを判定する（ステップＳ１１）。
【０１１０】
ステップＳ１１の判定の結果、切替弁１３を閉弁させる指令を出力したと判定される場合には（ステップＳ１１：Ｙｅｓ）、ＥＣＵ３０は、エンジン２０が始動を開始してからの経過時間が相対的に短いか否か（例えば、所定時間よりも短いか否か）を判定する（ステップＳ２１）。
【０１１１】
尚、所定時間として、エンジン水温ｔｈｗとバイパス水温ｔｈｂとの間の差分ΔＴｓｅｎｓに基づく判定動作の精度が相対的に低い状態と相対的に高い状態とを適切に区別可能な値が用いられることが好ましい。このような所定時間は、図９及び図１０に示す「エンジン水温ｔｈｗとバイパス水温ｔｈｂとの間の差分ΔＴｓｅｎｓに基づく判定動作の精度」と、「エンジン２０の始動を開始してからの経過時間」との間の関係を考慮した上で、例えば実験やシミュレーション等によって予め定められていてもよい。
【０１１２】
ステップＳ２１の判定の結果、エンジン２０が始動を開始してからの経過時間が相対的に短い（例えば、所定時間よりも短い）と判定される場合には（ステップＳ２１：Ｙｅｓ）、ＥＣＵ３０は、エンジン水温ｔｈｗの増加傾向に基づいて、閉弁している切替弁１３に故障が生じているか否かを判定する。言い換えれば、ＥＣＵ３０は、上述した第１判定動作を行うことで、閉弁している切替弁１３に故障が生じているか否かを判定する（ステップＳ１２からステップＳ１７）。
【０１１３】
他方で、ステップＳ２１の判定の結果、エンジン２０が始動を開始してからの経過時間が相対的に短くない（例えば、所定時間よりも短くない）と判定される場合には（ステップＳ２１：Ｎｏ）、続いて、ＥＣＵ３０は、エンジン２０の出力が相対的に高いか否か（或いは、所定出力よりも高いか否か）を判定する（ステップＳ２２）。
【０１１４】
尚、所定出力として、エンジン水温ｔｈｗの増加傾向に基づく判定動作の精度が相対的に低い状態と相対的に高い状態とを適切に区別可能な値が用いられることが好ましい。このような所定出力は、図９及び図１０に示す「エンジン水温ｔｈｗの増加傾向に基づく判定動作の精度」と、「エンジン２０の出力」との間の関係を考慮した上で、例えば実験やシミュレーション等によって予め定められていてもよい。
【０１１５】
ステップＳ２２の判定の結果、エンジン２０の出力が相対的に高い（或いは、所定出力よりも高い）と判定される場合には（ステップＳ２２：Ｙｅｓ）、ＥＣＵ３０は、エンジン水温ｔｈｗの増加傾向に基づいて、閉弁している切替弁１３に故障が生じているか否かを判定する。言い換えれば、ＥＣＵ３０は、上述した第１判定動作を行うことで、閉弁している切替弁１３に故障が生じているか否かを判定する（ステップＳ１２からステップＳ１７）。
【０１１６】
但し、エンジン２０の出力が相対的に高い（或いは、所定出力よりも高い）と判定される場合であっても、ＥＣＵ３０は、エンジン水温ｔｈｗの増加傾向に加えて又は代えて、エンジン水温ｔｈｗとバイパス水温ｔｈｂとの間の差分ΔＴｓｅｎｓに基づいて、閉弁している切替弁１３に故障が生じているか否かを判定してもよい。
【０１１７】
他方で、ステップＳ２２の判定の結果、エンジン２０の出力が相対的に高くない（或いは、所定出力よりも高くない）と判定される場合には（ステップＳ２２：Ｎｏ）、ＥＣＵ３０は、エンジン水温ｔｈｗとバイパス水温ｔｈｂとの間の差分ΔＴｓｅｎｓに基づいて、閉弁している切替弁１３に故障が生じているか否かを判定する（ステップＳ２３からステップＳ２４）。具体的には、ＥＣＵ３０は、エンジン水温ｔｈｗとバイパス水温ｔｈｂとの間の差分ΔＴｓｅｎｓを算出する（ステップＳ２３）。その後、ＥＣＵ３０は、ステップＳ２３で算出した差分ΔＴｓｅｎｓが判定用閾値よりも大きいか否かを判定する（ステップＳ２４）。
【０１１８】
尚、判定用閾値として、閉弁している切替弁１３に故障が生じているか否かを適切に判定することが可能な所望の値が用いられることが好ましい。このような判定用閾値は、図９に示す「エンジン水温ｔｈｗとバイパス水温ｔｈｂとの間の差分ΔＴｓｅｎｓ」と、「切替弁１３の故障の有無」との間の関係を考慮した上で、例えば実験やシミュレーション等によって予め定められていてもよい。
【０１１９】
ステップＳ２４の判定の結果、差分ΔＴｓｅｎｓが判定用閾値よりも大きいと判定される場合には（ステップＳ２４：Ｙｅｓ）、ＥＣＵ３０は、閉弁している切替弁１３に故障が生じていると判定する（ステップＳ１７）。
【０１２０】
他方で、ステップＳ２４の判定の結果、差分ΔＴｓｅｎｓが判定用閾値よりも大きくないと判定される場合には（ステップＳ２４：Ｎｏ）、ＥＣＵ３０は、閉弁している切替弁１３に故障が生じていないと判定する（ステップＳ１５）。
【０１２１】
尚、上述の説明では、ＥＣＵ３０は、エンジン水温ｔｈｗとバイパス水温ｔｈｂとの間の差分ΔＴｓｅｎｓに基づいて、閉弁している切替弁１３に故障が生じているか否かを判定している。しかしながら、ＥＣＵ３０は、差分ΔＴｓｅｎｓの積算値や差分ΔＴｓｅｎｓの単位時間当たりの変化量に基づいて、閉弁している切替弁１３に故障が生じているか否かを判定してもよい。つまり、ＥＣＵ３０は、差分ΔＴｓｅｎｓの積算値や差分ΔＴｓｅｎｓの単位時間当たりの変化量が所定の判定用閾値よりも大きいか否かを判定することで、閉弁している切替弁１３に故障が生じているか否かを判定してもよい。この場合、ＥＣＵ３０は、差分ΔＴｓｅｎｓの積算値や差分ΔＴｓｅｎｓの単位時間当たりの変化量が所定の判定用閾値よりも大きい場合には、閉弁している切替弁１３に故障が生じていると判定してもよい。
【０１２２】
以上説明したように、第２判定動作によれば、ＥＣＵ３０は、エンジン水温ｔｈｗの増加傾向に基づいて、閉弁している切替弁１３に故障が生じているか否かを判定することができる。従って、第２判定動作においても、第１判定動作を行うことで享受される各種効果が好適に享受される。
【０１２３】
第２判定動作では更に、ＥＣＵ３０は、閉弁している切替弁１３に故障が生じているか否かの判定動作の精度に影響を与える要因を考慮した上で、閉弁している切替弁１３に故障が生じているか否かを判定するための具体的手法として、「エンジン水温ｔｈｗの増加傾向に基づく判定動作」及び「差分ΔＴｓｅｎｓに基づく判定動作」のいずれかを選択する。従って、ＥＣＵ３０は、より高精度に、閉弁している切替弁１３に故障が生じているか否かを判定することができる。
【０１２４】
本発明は、上述した実施形態に限られるものではなく、特許請求の範囲及び明細書全体から読み取れる発明の要旨或いは思想に反しない範囲で適宜変更可能であり、そのような変更を伴う冷却水制御装置もまた本発明の技術的範囲に含まれるものである。
【符号の説明】
【０１２５】
１  車両
１０  冷却装置
１１  排熱回収器
１２  ヒータコア
１３  切替弁
１４  ラジエータ
１５  サーモスタット
１６  電動ＷＰ
１７ｂ、１７ｗ  水温センサ
１８  冷却水通路
１８ａ  冷却水通路
１８ｂ  冷却水通路
１８１ａ  冷却水通路
１８１ｂ  冷却水通路
１８１ｃ  冷却水通路
１８１ｄ  冷却水通路
１８２ａ  冷却水通路
１８２ｂ  冷却水通路
１８２ｃ  冷却水通路
１８２ｄ  冷却水通路
１８３ａ  冷却水通路
１８３ｂ  冷却水通路
２０  エンジン
３０  ＥＣＵ
【図１】
0006024822.tif 000002
【図２】
0006024822.tif 000003
【図３】
0006024822.tif 000004
【図４】
0006024822.tif 000005
【図５】
0006024822.tif 000006
【図６】
0006024822.tif 000007
【図７】
0006024822.tif 000008
【図８】
0006024822.tif 000009
【図９】
0006024822.tif 000010
【図１０】
0006024822.tif 000011
【図１１】
0006024822.tif 000012